(57)【要約】      （修正有）【課題】独立型太陽エネルギー発電により多彩な光度制御ができるＬＥＤ照明装置の提供。【解決手段】主に、透光可能な密封ケース一つ、異なる色の発光素子を設けた制御回路一つ、その制御回路に連結する蓄電素子及び光エネルギーを吸収し電気エネルギーに転換できる素子を包括し、それらのコンポーネントをケースと組み合わせ、色彩と光度を変化する事ができる独立型太陽エネルギー発電により多彩な光度制御ができるＬＥＤ照明装置を形成する。コップ、花瓶、酒瓶、装飾品、置物、透明及び半透明の器や物品の底部にはめ込んで置いた制御回路によって発光素子を点灯し、それらの物品にその光線を照射させる。並びにトリガースイッチの一種を利用して、その異なる照明操作モードを制御して、はめ込んで置かれた物品に異なる色、光度の光彩変化を呈させ、且つ光エネルギーによる発電ができ、また蓄電素子により蓄電を行う。【選択図】図１
0003119533.tif 000002
【実用新案登録請求の範囲】
【請求項１】
独立型太陽エネルギー発電により多彩な光度制御ができるＬＥＤ照明装置であり、
透光可能な密封ケース、異なる発光素子を設けた制御回路、その制御回路に連結した蓄電素子、及び光エネルギーを吸収し、電気エネルギーに転換できる素子を包含することを特徴とする、独立型太陽エネルギー発電により多彩な光度制御ができるＬＥＤ照明装置。
【請求項２】
請求項１記載の独立型太陽エネルギー発電により多彩な光度制御ができるＬＥＤ照明装置において、そのケースは、透明及び半透明状の上下蓋で構成されることを特徴とする、独立型太陽エネルギー発電により多彩な光度制御ができるＬＥＤ照明装置。
【請求項３】
請求項１記載の独立型太陽エネルギー発電により多彩な光度制御ができるＬＥＤ照明装置において、その光エネルギーを電気エネルギーへ転換する素子は、太陽エネルギーパネルとすることを特徴とする、独立型太陽エネルギー発電により多彩な光度制御ができるＬＥＤ照明装置。
【請求項４】
請求項１記載の独立型太陽エネルギー発電により多彩な光度制御ができるＬＥＤ照明装置において、その制御回路はプログラムが予めセットされたマイクロプロセッサを包括し、マイクロプロセッサを発光素子に連接し、マイクロプロセッサにより発光素子の明暗や色の光彩変化を制御することを特徴とする、独立型太陽エネルギー発電により多彩な光度制御ができるＬＥＤ照明装置。
【請求項５】
請求項１記載の独立型太陽エネルギー発電により多彩な光度制御ができるＬＥＤ照明装置において、制御回路に連接する発光素子は、異なる色のＬＥＤ或いはライトとすることを特徴とする、独立型太陽エネルギー発電により多彩な光度制御ができるＬＥＤ照明装置。
【請求項６】
請求項２記載の独立型太陽エネルギー発電により多彩な光度制御ができるＬＥＤ照明装置において、その制御回路のマイクロプロセッサはリードスイッチ、光センサースイッチ、サーモスイッチのようなトリガースイッチに連接され、外部のトリガーユニット(リードスイッチに対しては磁性素子を採用、光センサースイッチに対しては光源素子を採用、サーモスイッチには指先の体温が利用できる)の遠隔反応により、スイッチ素子を導通させる。並びにトリガーユニットを異なる回数接近させることにより、マイクロプロセッサがその信号の違いを判別し、発光素子の点灯モードの選択を行うことを特徴とする、独立型太陽エネルギー発電により多彩な光度制御ができるＬＥＤ照明装置。
【考案の詳細な説明】
【技術分野】
【０００１】
本考案は、独立型太陽エネルギー発電により多彩な光度制御ができるＬＥＤ照明装置に関するもので、特に太陽エネルギーにより発電及び蓄電作用を行う事ができ、さらには光発電効果を形成し、且つ制御回路を利用し、明暗、色彩変化を行う照明装置を指す。
【背景技術】
【０００２】
一般に、ガラス、プラスチック或いはアクリルなどの材料で製造されたコップ、透明皿や草花、動植物状の装飾品の類は、通常、形状上における設計変化を呈するだけで、夜間或いは光が暗い時は、その美しさを表現させる事ができない。ある業者は反射材料を設置して、コップ、酒瓶、透明な器や装飾品等を置くと少し光らせる効果を発生させているが、それが呈する光彩ははっきりせず効果的ではない。そして、それらの製品に発光物体を入れ美観を増す場合、電力供給の問題を考慮する必要がある。また、バッテリー(乾電池など)を使用して、電気コード増設の面倒を避けても、また充電の問題や、乾電池の廃棄による環境汚染造成の恐れが生じる。そのため、簡単で太陽エネルギーという自然資源を利用する独立発電と蓄電作用を備え、且つ色彩と光度が変化できる独立型太陽光発電の照明装置は、本当に開発する価値があると言える。
【考案の開示】
【考案が解決しようとする課題】
【０００３】
本考案の主要な目的は、独立型太陽エネルギー発電により多彩な光度制御ができるＬＥＤ照明装置の一種を提供し、コップ、花瓶、酒瓶、装飾品、置物、透明及び半透明の器と物品の底部にはめ込んだり、置くことで、それらの物品に明暗及び色の光彩変化を産生させる。
【０００４】
前記の照明装置は、透光可能な密封ケース一つ、異なる色の発光素子を設けた制御回路一つ、その制御回路に連結する蓄電素子及び光エネルギーを吸収し電気エネルギーに転換できる素子を包括し、それらのコンポーネントをケースと組み合わせ、色彩と光度を変化する事ができる独立型太陽エネルギー発電により多彩な光度制御ができるＬＥＤ照明装置を構成して、コップ、花瓶、酒瓶、装飾品、置物、透明及び半透明の器と物体の底部にはめ込んだり、置いたことに提供する。その制御回路により、発光素子を点灯し、その光線をはめ込んだり、置かれた物品に照射して、異なる色、光度の光彩変化を呈させる。且つ、バッテリーのエネルギーを使い切った時は、太陽光或いはライトを太陽エネルギーパネルに対し照射することで、バッテリーに充電する事ができ、さらには光発電効果を形成し、照明装置に新エネルギーの応用と実用価値を持たせるものである。
【０００５】
前記の照明装置中、ケースは透明及び半透明状の上下蓋の組合せである。
【０００６】
前記の照明装置中、光エネルギーを電気エネルギーに転換する素子は、太陽エネルギーパネル、或いは他の光エネルギーを電気エネルギーに転換供給できる素子とする。
【０００７】
前記の照明装置中、蓄電素子は小型バッテリーとする。
【０００８】
前記の照明装置中、その制御回路はマイクロプロセッサ一つ、及びそのマイクロプロセッサに連接する発光素子、及びトリガースイッチ素子、例えばリードスイッチ、光センサースイッチやサーモスイッチを包括する。そのスイッチ素子は外部のトリガーユニット(リードスイッチに対しては磁性素子を採用、光センサースイッチに対しては光源素子を採用、サーモスイッチには指先の体温が利用できる)の異なる遠隔センサー信号により、マイクロプロセッサを介して発光素子の異なる点灯モードを制御し、明暗や色彩の様々な変化を形成する。
【課題を解決するための手段】
【０００９】
請求項１の考案は、独立型太陽エネルギー発電により多彩な光度制御ができるＬＥＤ照明装置であり、
透光可能な密封ケース、異なる発光素子を設けた制御回路、その制御回路に連結した蓄電素子、及び光エネルギーを吸収し、電気エネルギーに転換できる素子を包含することを特徴とする、独立型太陽エネルギー発電により多彩な光度制御ができるＬＥＤ照明装置を特徴とする、独立型太陽エネルギー発電により多彩な光度制御ができるＬＥＤ照明装置としている。
請求項２の考案は、請求項１記載の独立型太陽エネルギー発電により多彩な光度制御ができるＬＥＤ照明装置において、そのケースは、透明及び半透明状の上下蓋で構成されることを特徴とする、独立型太陽エネルギー発電により多彩な光度制御ができるＬＥＤ照明装置としている。
請求項３の考案は、請求項１記載の独立型太陽エネルギー発電により多彩な光度制御ができるＬＥＤ照明装置において、その光エネルギーを電気エネルギーへ転換する素子は、太陽エネルギーパネルとすることを特徴とする、独立型太陽エネルギー発電により多彩な光度制御ができるＬＥＤ照明装置としている。
請求項４の考案は、請求項１記載の独立型太陽エネルギー発電により多彩な光度制御ができるＬＥＤ照明装置において、その制御回路はプログラムが予めセットされたマイクロプロセッサを包括し、マイクロプロセッサを発光素子に連接し、マイクロプロセッサにより発光素子の明暗や色の光彩変化を制御することを特徴とする、独立型太陽エネルギー発電により多彩な光度制御ができるＬＥＤ照明装置としている。
請求項５の考案は、請求項１記載の独立型太陽エネルギー発電により多彩な光度制御ができるＬＥＤ照明装置において、制御回路に連接する発光素子は、異なる色のＬＥＤ或いはライトとすることを特徴とする、独立型太陽エネルギー発電により多彩な光度制御ができるＬＥＤ照明装置としている。
請求項６の考案は、請求項２記載の独立型太陽エネルギー発電により多彩な光度制御ができるＬＥＤ照明装置において、その制御回路のマイクロプロセッサはリードスイッチ、光センサースイッチ、サーモスイッチのようなトリガースイッチ一つに連接され、外部のトリガーユニット(リードスイッチに対しては磁性素子を採用、光センサースイッチに対しては光源素子を採用、サーモスイッチには指先の体温が利用できる)の遠隔反応により、スイッチ素子を導通させる。並びにトリガーユニットを異なる回数接近させることにより、マイクロプロセッサがその信号の違いを判別し、発光素子の点灯モードの選択を行うことを特徴とする、独立型太陽エネルギー発電により多彩な光度制御ができるＬＥＤ照明装置としている。
【考案の効果】
【００１０】
前記の照明装置はまた、充電装置を包括し、その充電装置にはライト、導光板及び固定ラックを設置し、この太陽光発電照明装置の太陽エネルギーパネルをその固定ラックで光源方向へ向けて掛け、ライトを太陽光発電照明装置の太陽エネルギーパネルに照射させて、発電効果を形成することで、太陽光発電を利用しにくい時でも使用できる充電装置とする。
【考案を実施するための最良の形態】
【００１１】
図１、図２、図４を同時に参照してください。本考案は、透明及び半透明状の上下蓋１１、１２で構成される密封ケースが設けられ、そのケースの上蓋１１にはネジ山１１１のあるはめ合わせ部がある。並びに下蓋１２の壁の縁には、上蓋１１に設けられたネジ山１１１に回転して合わせるネジ溝１２１が提供され、下蓋１２の内側縁には垂直の固定片１２２が設置されている。その上下蓋１１、１２はそれぞれ固定穴１１２及びボルト穴を有する固定柱１２３が設置され、ボルト２０で止め合わせる(図３)。
【００１２】
そのケース内には制御回路１３が設けられ、その制御回路１３には、異なる色の発光素子１４(ＬＥＤ或いはライトとする)を設置すると共に、その制御回路１３にはそれが連接するバッテリー１５が設置されている。また、制御回路１３の下方には、太陽エネルギーパネル１６が連接され、それらの素子がそれぞれ下蓋１２の固定片１２２に固定されている。
【００１３】
その制御回路１３はマイクロプロセッサ１３１を包括し、そのマイクロプロセッサ１３１はバッテリー１４及び太陽エネルギーパネル１６、そして異なる色の発光素子１４に連接される。その中で、そのマイクロプロセッサ１３１は、制御プログラムが予めセットされ、その制御ポイントは、リードスイッチ、光センサースイッチ、或いはサーモスイッチ１３２のような、トリガースイッチに連接されていて、外部のトリガーユニット(リードスイッチに対しては磁性素子を採用、光センサースイッチに対しては光源素子を採用、サーモスイッチには指先の体温が利用できる)により、スイッチ素子１３２の異なる遠隔センサー信号に対し、マイクロプロセッサ１３１が発光素子１４の異なる点灯モードを変更することで、発光素子１４の明暗及び色彩に様々な変化を起させる。
【００１４】
前記の制御回路１３は、また、電圧安定素子１３３を設け、太陽エネルギーパネル１６が光を受け電気エネルギーを産生する時、バッテリー１５に充電させる。並びにその電圧安定素子１３３により、電圧安定を行い、制御回路１３全体に操作電力を供給し、それらの発光素子１４を赤、緑、青のＬＥＤ(発光ダイオード、ｌｉｇｈｔ ｅｍｉｔｔｉｎｇ ｄｉｏｄｅ)とする事ができる。並びにマイクロプロセッサ１３２に連接するトランジスタ１３４の駆動により、異なる色の組合せ変化、及び異なる明暗の光度変化を構成する。
【００１５】
前記のコンポーネントの組合せにより、照明器具１００を構成し、コップ、花瓶、酒瓶、装飾品、置物、透明及び半透明の器と物品の底部或いはその中に、はめ込んで置いた、発光素子１４を点灯することで、それら物品の光度、色の光彩を変化させる。
【００１６】
図５、図７及び図６、図８を同時に参照してください。本考案を使用する時、照明装置１００をコップ２の底部にはめ込んで、或いはコースター１０に設置し、コップを置いて供する。その照明装置１００が点灯すると、光線がコップ２を照らして、光度及び色の光彩変化を形成して、コップ２に視覚上の美感を持たせる。
【００１７】
図９を参照してください。本考案は、異なる形状のコップ３の底部にはめ込み、異なる形状のコップ３に光彩照明の効果を達成させることができる。そして、図１１に示すように、照明装置１００をはめ込んだコップ４を照射すると、そのコップ４内にあるアイスキューブ５は、異なる反射面が異なる角度の屈折を形成するため、照明装置１００が投射する光は、コップ４に多角度の光彩効果を産生させる。もちろん、コップ３、４がコースター１０に置かれた場合でも同じような光彩効果を産生する。
【００１８】
図１３を参照してください。本考案を使用する際、コップ２を太陽光線のもと逆さに置き、太陽光線が太陽エネルギーパネル１６に対し照射することで発電すると共に、バッテリーに充電できる以外に、同時に太陽光線の消毒作用も兼ね備えている。太陽がない、或いは太陽光線が弱い場合、それを充電装置６の中に置いて充電する事ができる。その中で、その充電装置６はキャビネット６１を設け、キャビネット６１にはランプ６２を設置する。並びに、ランプ６２下部に集光効果を有する導光板６３を設置し、導光板６３の下方には二つの固定ラック６４を設け、コップ２を逆さに置く方式でその固定ラック６４に掛け、ランプ６２の光を太陽エネルギーパネル１６に照射することで発電し、さらにはバッテリーに充電して、光発電の目的を構成する。本考案はまた太陽光が照射している時、コップ２の上方に円錐状のフード２００を置き、光線を集中させ、充電効果を高めることができる(図１４参照)。
【００１９】
図１５、図１６を同時に、また図４を合わせて参照してください。本考案の制御回路１３は、リードスイッチ、光センサースイッチ、或いはサーモスイッチ１３２のような遠隔トリガースイッチを有しており、そのため、発光素子１４の点灯モードを変更する必要がある時は、トリガーユニット(リードスイッチに対しては磁性素子を採用、光センサースイッチに対しては光源素子を採用、サーモスイッチには指先の体温が利用できる) ７をコップ２(４)の底周辺に近づけるだけで、スイッチ素子１３２を遠隔で触発して、それを導通させることができる。並びにトリガーユニット７を異なる回数接近することで、マイクロプロセッサ１３２がその信号の違いを判別し、さらに点灯モードを変更する。その中で、そのトリガーユニット７は、ハート型、星型など異なる形状の装飾品や記念品とすることができる。
【００２０】
図１７を参照してください。本考案は、照明装置１００を目録プレート８の脚部台座８１にはめ込んで、それをコースター１０に置いて、その目録プレート８を照らし、料理の注文や表示に用いることができる。図１９に示すように、本考案はまた、照明装置１００を花瓶９の底部にはめ込んで置く事で、それが花瓶９全体を照らし、花を生けた時、さらに装飾的効果を有することができる。
【００２１】
図２１を参照してください。本考案の色彩と光度を変化することができる独立型の太陽光発電照明装置１００は、コースター１０状に製造する事ができ、コップ２をコースター１０上に置くと、照明装置１００によりコップ２を照らし、光彩の変化を達成する。また、図２２に示すように、本考案の照明装置１００は酒瓶２０の瓶底にはめ込んで置くことで、照明装置１００の照射により、酒瓶２０全体に多様な明暗、色の変化を呈させることができる。図２４、図２６に示すように、本考案はまた、水晶玉３０の台座３１やライト４０にはめ込んで置くことで、異なる形態の物品の照明変化を形成することができる。
【００２２】
上記をまとめると、本考案は、制御回路、太陽エネルギー発電パネル及びバッテリーを設置した照明装置で、異なる物品にはめ込んで置くことで、物品の明暗、色の光彩変化を達成し、且つ太陽光或いはライトの照射による発電を供給する。
【図面の簡単な説明】
【００２３】
【図１】本考案の立体図である。
【図２】本考案の立体分解図である。
【図３】本考案のまた別の実施例の立体分解図である。
【図４】本考案の電気回路図である。
【図５】本考案をガラスコップに組み付けた立体図である。
【図６】図５のまた別の実施例の図である。
【図７】本考案をガラスコップに組み付けた断面図である。
【図８】図７のまた別の実施例の図である。
【図９】本考案を異なる形状のガラスコップに組み付けた実施例である。
【図１０】図９のまた別の実施例の図である。
【図１１】本考案を異なる形状のガラスコップに組み付けた実施例である。
【図１２】図１１のまた別の実施例の図である。
【図１３】本考案の充電キャビネットの立体図である。
【図１４】本考案のまた別の充電実施例の図である。
【図１５】本考案の磁性素子が反応する実施例図である。
【図１６】本考案の磁性素子が反応する実施例図である。
【図１７】本考案を目録プレートに組み付けた実施例図である。
【図１８】図１７のまた別の実施例の図である。
【図１９】本考案を花瓶に組み付けた実施例図である。
【図２０】図１９のまた別の実施例の図である。
【図２１】本考案をコースターに組み付けた実施例図である。
【図２２】本考案を酒瓶に組み付けた実施例図である。
【図２３】図２２のまた別の実施例の図である。
【図２４】本考案を水晶玉に組み付けた実施例図である。
【図２５】図２４のまた別の実施例の図である。
【図２６】本考案をライトに組み付けた実施例図である。
【図２７】図２６のまた別の実施例の図である。
【符号の説明】
【００２４】
１１  上蓋        １５  バッテリー            ４  コップ        ８  目録プレート
１１１  ネジ山    １６  太陽エネルギーパネル    ５  アイスキューブ    ９  花瓶
１２  下蓋        １３１  マイクロプロセッサ    ６  充電装置        ８１  台座
１２１  ネジ溝
１３２  リードスイッチ、光センサースイッチ、或いはサーモスイッチ
６１  キャビネット    １０  コースター
１２２  固定片        １３１  電圧安定器        ６２  ライト        ２０  酒瓶
１３  制御回路        １３４  トランジスタ      ６３  導光板        ３０  水晶玉
１００  照明装置      ２  コップ                ６４  固定ラック    ３１  台座
１４  発光素子        ３  コップ                ７  トリガーユニット
４０  ライト
１１２  固定穴        １２３  固定柱            ２０  ボルト
２００  フード
【図１】
0003119533.tif 000003
【図２】
0003119533.tif 000004
【図３】
0003119533.tif 000005
【図４】
0003119533.tif 000006
【図５】
0003119533.tif 000007
【図６】
0003119533.tif 000008
【図７】
0003119533.tif 000009
【図８】
0003119533.tif 000010
【図９】
0003119533.tif 000011
【図１０】
0003119533.tif 000012
【図１１】
0003119533.tif 000013
【図１２】
0003119533.tif 000014
【図１３】
0003119533.tif 000015
【図１４】
0003119533.tif 000016
【図１５】
0003119533.tif 000017
【図１６】
0003119533.tif 000018
【図１７】
0003119533.tif 000019
【図１８】
0003119533.tif 000020
【図１９】
0003119533.tif 000021
【図２０】
0003119533.tif 000022
【図２１】
0003119533.tif 000023
【図２２】
0003119533.tif 000024
【図２３】
0003119533.tif 000025
【図２４】
0003119533.tif 000026
【図２５】
0003119533.tif 000027
【図２６】
0003119533.tif 000028
【図２７】
0003119533.tif 000029